(57)【要約】【課題】経年時の酸化皮膜成長時の接触信頼性を向上させることができる電極金具を得ること。【解決手段】電極金具３は、着脱式電子機器ユニットおよび着脱式電子機器ユニットが装着されるベースユニットのいずれか一方に一端側で固定された薄板部材からなり、着脱式電子機器ユニットの内部基板とベースユニットの筐体グランド電位を電気接続するための電極金具であって、薄板部材は、他端側から一端側に向けた所定領域が曲面となるように折り曲げられ、さらに、他端側の端部Ｂを略９０度ねじった形状をなす。【選択図】図８
2010245194.tif 000002
【特許請求の範囲】
【請求項１】
着脱式電子機器ユニットおよび前記着脱式電子機器ユニットが装着されるベースユニットのいずれか一方に一端側で固定された薄板部材からなり、前記着脱式電子機器ユニットの内部基板と前記ベースユニットの筐体グランド電位を電気接続するための電極金具であって、
前記薄板部材は、他端側から前記一端側に向けた所定領域が曲面となるように折り曲げられ、さらに、前記他端側の端部を略９０度ねじった形状をなすことを特徴とする電極金具。
【請求項２】
前記薄板部材の周側面のうち、前記一端側から前記他端側に延びる部分で接触することを特徴とする請求項１に記載の電極金具。
【発明の詳細な説明】
【技術分野】
【０００１】
本発明は、電極金具に係り、特に接触信頼性を向上させる電極金具に関する。
【背景技術】
【０００２】
従来、電極金具は、着脱式電子機器ユニット内部の基板に接続される。電極金具は、着脱式電子機器ユニットがベースユニットに固定された際に、電極金具の接触端子先端部がベースユニットに対して弾性的に圧接することにより、着脱式電子機器ユニット内部の基板とベースユニットの筐体グランド電位を電気接続する。
【０００３】
電極金具の形状に関して、特許文献１では、ソケットコンタクトの接触片を４５度ねじり加工する技術が開示されている。特許文献２では、電極金具が面接触により係合する技術が開示されている。
【先行技術文献】
【特許文献】
【０００４】
【特許文献１】特開平１０−３０２８６９号公報
【特許文献２】特許第３６７７６３３号
【発明の概要】
【発明が解決しようとする課題】
【０００５】
しかしながら、上記のような従来の電極金具では、腐食環境下において、経年時、金属表面に形成される酸化皮膜を破る十分な接触圧を得ることができず、接触信頼性が低くなってしまうという問題があった。
【０００６】
この発明は、上記に鑑みてなされたものであって、経年時の酸化皮膜成長時の接触信頼性を向上させることができる電極金具を得ることを目的としている。
【課題を解決するための手段】
【０００７】
上述した課題を解決し、目的を達成するために、本発明は、着脱式電子機器ユニットおよび着脱式電子機器ユニットが装着されるベースユニットのいずれか一方に一端側で固定された薄板部材からなり、着脱式電子機器ユニットの内部基板とベースユニットの筐体グランド電位を電気接続するための電極金具であって、薄板部材は、他端側から一端側に向けた所定領域が曲面となるように折り曲げられ、さらに、他端側の端部を略９０度ねじった形状をなすことを特徴とする。
【発明の効果】
【０００８】
本発明によれば、電極金具の接触面に対する接触面積が小さくなるので、単位面積あたりの圧力が高まり、酸化皮膜を破るのに十分な接触圧を得ることができ、接触信頼性を向上させることができるという効果を奏する。
【図面の簡単な説明】
【０００９】
【図１】図１は、本発明の実施の形態１に係る電極金具を備える着脱式電子機器ユニットおよびベースユニットの概略構成を示す図である。
【図２】図２は、着脱式電子機器ユニットの断面図である。
【図３】図３は、着脱式電子機器ユニットをコネクタ側から見た側面図である。
【図４】図４は、着脱式電子機器ユニットの外観斜視図である。
【図５】図５は、ベースユニットをコネクタ側から見た正面図である。
【図６】図６は、ユニット内部基板のうち、コネクタが実装された部分の部分拡大図である。
【図７】図７は、Ｒ状の曲げ加工を施した電極金具の自由端側の図であって、（ａ）は側面図、（ｂ）は斜視図である。
【図８】図８は、図７に示す電極金具の自由端側の先端部にねじり加工を施した図であって、（ａ）は側面図、（ｂ）は斜視図である。
【発明を実施するための形態】
【００１０】
以下に、本発明にかかる電極金具の実施の形態を図面に基づいて詳細に説明する。なお、この実施の形態によりこの発明が限定されるものではない。
【００１１】
実施の形態１．
図１は、本発明の実施の形態１に係る電極金具を備える着脱式電子機器ユニットおよびベースユニットの概略構成を示す図である。着脱式電子機器ユニット２０は、ベースユニット３０に対して着脱可能とされ、コネクタ４，７を介して電気的に接続される。
【００１２】
着脱式電子機器ユニット２０は、ユニット筐体１を有し、内部にユニット内部基板２が設けられている。ユニット内部基板２には、電極金具３を備えるコネクタ４が実装されている。ユニット内部基板２には電子回路が構成されている。電子回路は、コネクタ４を介して、電源、信号、信号用グランドを外部電子回路と電気接続する。ユニット内部基板２に対する外部電子回路は、本実施の形態１ではベースユニット基板６の電子回路となる。また、電子回路は電極金具３を介して外部の筐体グランドと電気接続される。
【００１３】
図２は、着脱式電子機器ユニット２０の断面図である。ユニット筐体１は、ユニット内部基板２の周囲を取り囲んで、ユニット内部基板２のうちコネクタ４と電極金具３を除いた部分を外部から絶縁する。
【００１４】
図３は、着脱式電子機器ユニット２０をコネクタ４側から見た側面図である。図４は、着脱式電子機器ユニット２０の外観斜視図である。コネクタ４の位置は、着脱式電子機器ユニット２０をベースユニット３０に装着した際に、ベースユニット３０のコネクタ７と嵌まり合う位置となっている。電極金具３の位置は、着脱式電子機器ユニット２０をベースユニット３０に装着した際に、ベースユニット３０のベースユニット筐体５と接触する位置となっている。
【００１５】
図５は、ベースユニット３０をコネクタ７側から見た正面図である。ベースユニット３０は、金属製のベースユニット筐体５とベースユニット基板６を有して構成される。ベースユニット基板６には、複数のコネクタ７が実装されている。ベースユニット基板６には電子回路が設けられており、電子回路はコネクタ７を介して、電源、信号、信号用グランドを外部電子回路と電気接続する。ベースユニット基板６に対する外部電子回路は、本実施の形態１ではユニット内部基板２の電子回路となる。複数のコネクタ７には、ベースユニット３０に着脱式電子機器ユニット２０が装着された際にコネクタ４が嵌まり合い、コネクタ同士が接続される。
【００１６】
次に、電極金具３について詳細に説明する。図６は、ユニット内部基板２のうち、コネクタ４が実装された部分の部分拡大図である。コネクタ４には、電極金具３が取り付けられている。電極金具３は、長方形形状を呈する金属製の薄板部材に対してねじり加工等を行うことで構成されている。電極金具３は、長手方向の一端側でコネクタ４に固定されている。以下、コネクタ４に固定された側を固定端側といい、その他端側を自由端側という。電極金具３は、その固定端側でユニット内部基板２に対して電気的に接続されている。
【００１７】
電極金具３は、薄板部材の自由端側から固定端側に向けた所定領域をＲ状（曲面）とする曲げ加工を行い、さらに、ねじり加工を行うことでその形状が形成される。図７は、Ｒ状の曲げ加工を施した電極金具３の自由端側の図であって、（ａ）は側面図、（ｂ）は斜視図である。図８は、図７に示す電極金具３の自由端側の先端部（端部）Ｂにねじり加工を施した図であって、（ａ）は側面図、（ｂ）は斜視図である。ねじり加工により電極金具３は、自由端側の先端部Ｂを、矢印Ｘに沿った方向に略９０度ねじった形状をなす。
【００１８】
電極金具３は、Ｒ状の曲げ加工を施されることで、着脱式電子機器ユニット２０の装着時に、装着方向に圧縮された際の復元力（金属のばね圧）によって、ベースユニット筐体５への接触圧を得る。これにより、電極金具３をベースユニット筐体５にネジ固定する工程を省略することができ、工数の削減という従来の優位点を保つことができる。
【００１９】
また、電極金具３にねじり加工を行わなかった場合には、着脱式電子機器ユニット２０をベースユニット３０に装着した際に、図７において斜線で囲んだ部分がベースユニット３０のベースユニット筐体５と接触する。この場合、電極金具３は、ベースユニット筐体５に対して面で接触するため、ベースユニット筐体５の酸化皮膜を破るのに十分な接触圧を得ることができない場合があり、接触信頼性が低下してしまう。
【００２０】
これに対し、実施の形態１に係る電極金具３は、先端部Ｂを９０度ねじる加工が施されている。これにより、着脱式電子機器ユニット２０をベースユニット３０に装着した際に、図８において斜線で囲んだ部分、すなわち、電極金具３の周側面のうち固定端側から自由端側に延びる部分がベースユニット筐体５と接触する。この場合、電極金具３は、ベースユニット筐体５に対してその向きについて制約条件なく線接触するため、単位面積あたりの接触圧が高まり、ベースユニット筐体５の酸化皮膜を破るのに十分な接触圧を得ることができ、接触信頼性を向上させることができる。なお、電極金具３は、ベースユニット３０側に固定されても構わない。
【産業上の利用可能性】
【００２１】
以上のように、本発明にかかる電極金具は、着脱式電子機器ユニットにおいて、ベースユニットの筐体グランドを電気的に接続するのに適している。
【符号の説明】
【００２２】
Ｂ  先端部
１  ユニット筐体
２  ユニット内部基板
３  電極金具
４  コネクタ
５  ベースユニット筐体
６  ベースユニット基板
７  コネクタ
２０  着脱式電子機器ユニット
３０  ベースユニット
【図１】
2010245194.tif 000003
【図２】
2010245194.tif 000004
【図３】
2010245194.tif 000005
【図４】
2010245194.tif 000006
【図５】
2010245194.tif 000007
【図６】
2010245194.tif 000008
【図７】
2010245194.tif 000009
【図８】
2010245194.tif 000010